(57)【要約】【課題】  スタンバイ状態においても情報通信を行うことを可能にした電子機器及びそれを内蔵したプロジェクタを提供することを目的とする。【解決手段】  メインＣＰＵ２０と、サブＣＰＵ３０と、少なくともメインＣＰＵ２０及びサブＣＰＵ３０にそれぞれ駆動電源を供給する電源部１１と、操作部１２とを備える。メインＣＰＵ２０は、操作部１２の操作信号に基づいてスタンバイ状態に移行する前に、パソコン４１との通信対象となるパラメータ情報をサブＣＰＵ３０に送信し、電源部１１は、操作部１２の操作信号に基づいて、少なくともメインＣＰＵ２０に対する駆動電源の供給を停止し、サブＣＰＵ３０に対する駆動電源の供給を継続してスタンバイ状態に移行し、サブＣＰＵ３０は、スタンバイ状態において、パソコン４１からの問い合わせがあると、その問い合わせに係るコマンドに対応したパラメータ情報を送信する。【選択図】        図１
2006308934.tif 000002
【特許請求の範囲】
【請求項１】
入力情報に基づいて機器特有の演算処理を行うメインＣＰＵと、サブＣＰＵと、少なくとも前記メインＣＰＵ及び前記サブＣＰＵにそれぞれ駆動電源を供給する電源部と、各種の操作信号を入力する操作部とを備え、
前記電源部は、前記操作部の電源オフ操作信号に基づいて、少なくとも前記メインＣＰＵに対する駆動電源の供給を停止し、前記サブＣＰＵに対する駆動電源の供給を継続して前記スタンバイ状態に移行し、
前記メインＣＰＵは、前記スタンバイ状態に移行する前に、外部機器との通信対象となるパラメータ情報を前記サブＣＰＵに送信し、
前記サブＣＰＵは、前記スタンバイ状態において、外部機器からの問い合わせがあると、その問い合わせに係るコマンドに対応した前記パラメータ情報を送信することを特徴とする電子機器。
【請求項２】
外部通信コマンドに対応した返送コマンド及びそのパラメータ情報の送信形式が格納される第１の不揮発性記憶装置と、第２の記憶装置とを備え、
前記メインＣＰＵは、所定の特殊操作によって又は前記スタンバイ状態に移行する前に、前記第１の不揮発性記憶装置に格納された返送コマンド及びそのパラメータ情報の送信形式を読み込んで前記サブＣＰＵに転送し、前記第２の記憶装置に格納させることを特徴とする請求項１記載の電子機器。
【請求項３】
前記メインＣＰＵは、前記スタンバイ状態に移行する前に、外部機器との通信対象となるパラメータ情報を前記サブＣＰＵに送信し、前記第２の記憶装置に格納させることを特徴とする請求項２記載の電子機器。
【請求項４】
外部通信コマンドに対応した返送コマンドのためのパラメータ情報が格納される第１の不揮発性記憶装置と、
外部通信コマンドに対応した返送コマンド及びそのパラメータ情報の送信形式が格納される第２の記憶装置とを備え、
前記メインＣＰＵは、前記スタンバイ状態に移行する前に、外部機器との通信対象となるパラメータ情報を前記サブＣＰＵに送信し、前記第２の記憶装置に格納させることを特徴とする請求項１記載の電子機器。
【請求項５】
前記サブＣＰＵは、前記スタンバイ状態において、外部機器からの問い合わせがあると、その問い合わせに係るコマンドに対応した前記返送コマンド及びそのパラメータ情報を前記第２の記憶装置から読み出し、前記送信形式に基づいて送信することを特徴とする請求項３又は４記載の電子機器。
【請求項６】
請求項１〜５の何れかに記載の電子機器を内蔵するとともに、メインＣＰＵによりフレーム映像が描画されるフレームメモリと、該フレームメモリに描画されたフレーム映像の映像信号がメインＣＰＵにより読み出されて制御されるライトバルブと、該ライトバルブに描画された映像をスクリーンに拡大照射する光学手段とを備えたことを特徴とするプロジェクタ。
【請求項７】
前記第１の不揮発性記憶装置は、外部通信コマンドとして、電源状態、ランプ点灯時間、ソース設定状態、装置のバージョン情報及びエラーの内、少なくとも１つ以上のコマンドに対応した情報が格納されることを特徴とする請求項６記載のプロジェクタ。
【発明の詳細な説明】
【技術分野】
【０００１】
本発明は、電子機器及びプロジェクタに関し、特に、スタンバイ状態の通信処理に関する。
【背景技術】
【０００２】
例えば従来のプロジェクタにおいては、パソコンとの間でデータの授受を行って、プロジェクタの調整を行ったり、或いはプロジェクタの情報を取得するものがある（例えば特許文献１〜３）。
【特許文献１】特開平８−３３４８３２号公報
【特許文献２】特開２００２−２８７２４９号公報
【特許文献３】特開２００２−２８７２４３号公報
【発明の開示】
【発明が解決しようとする課題】
【０００３】
しかしながら、上記の従来技術（特許文献１〜３）においては、スタンバイ状態（低消費電力状態）では、プロジェクタの電源オン時の状態通知を行う情報通信を行うことができない、という問題点があった。
【０００４】
本発明は、このような問題点を解決するためになされたものであり、スタンバイ状態においても情報通信を行うことを可能にした電子機器及びそれを内蔵したプロジェクタを提供することを目的とする。
【課題を解決するための手段】
【０００５】
本発明に係る電子機器は、入力情報に基づいて機器特有の演算処理を行うメインＣＰＵと、サブＣＰＵと、少なくとも前記メインＣＰＵ及びサブＣＰＵにそれぞれ駆動電源を供給する電源部と、各種の操作信号を入力する操作部とを備え、前記電源部は、前記操作部の操作オフ操作信号に基づいて、少なくとも前記メインＣＰＵに対する駆動電源の供給を停止し、前記サブＣＰＵに対する駆動電源の供給を継続してスタンバイ状態（低消費電力状態）に移行し、前記メインＣＰＵは、前記スタンバイ状態に移行する前に、外部機器との通信対象となるパラメータ情報を前記サブＣＰＵに送信し、前記サブＣＰＵは、スタンバイ状態において、外部機器からの問い合わせがあると、その問い合わせに係るコマンドに対応した前記パラメータ情報を送信する。本発明においては、スタンバイ状態に移行する前に、メインＣＰＵは外部機器との通信対象となるパラメータ情報をサブＣＰＵに送信する。そして、サブＣＰＵは、スタンバイ状態において、外部機器からの問い合わせがあ
ると、その問い合わせに係るコマンドに対応したパラメータ情報を送信するようにしたので、電子機器がスタンバイ状態においても外部機器との通信が可能になっており、外部機器にとっては電子機器の動作態様に関係なく、例えば電子機器の状態等を把握することができる。
【０００６】
また、本発明に係る電子機器は、外部通信コマンドに対応した返送コマンド及びそのパラメータ情報の送信形式が格納される第１の不揮発性記憶装置と、第２の記憶装置とを備え、前記メインＣＰＵは、所定の特殊操作によって又は前記スタンバイ状態に移行する前に、前記第１の不揮発性記憶装置に格納された返送コマンド及びそのパラメータ情報の送信形式を読み込んで前記サブＣＰＵに転送し、前記第２の記憶装置に格納させる。本発明においては、第１の不揮発性記憶装置に外部通信コマンドに対応した返送コマンド及びそのパラメータ情報の送信形式が格納され、それがサブＣＰＵを介して第２の記憶装置に格納されるので、電子機器の仕様に関係なく、第２の記憶装置等の仕様を一様にすることができる。即ち、スタンバイ時の通信内容は、第１の不揮発性記憶装置に格納された返送コマンド等によって規定することが可能になり、第２の記憶装置の記憶内容を電子機器の仕様に応じて予め設定する必要がなくなり、サブＣＰＵ及び第２の記憶装置を電子機器の仕様（機種）に関係なく共通にすることができる。
【０００７】
また、本発明に係る電子機器において、前記メインＣＰＵは、スタンバイ状態に移行する前に、外部機器との通信対象となるパラメータ情報を前記サブＣＰＵに送信して、前記第２の記憶装置に格納させる。このため、本発明においては、スタンバイ状態に移行する直前のパラメータ情報を外部機器に送信することができる。
【０００８】
また、本発明に係る電子機器は、外部通信コマンドに対応した返送コマンドのためのパラメータ情報が格納される第１の不揮発性記憶装置と、外部通信コマンドに対応した返送コマンド及びそのパラメータ情報の送信形式が格納される第２の記憶装置とを備え、前記メインＣＰＵは、前記スタンバイ状態に移行する前に、外部機器との通信対象となるパラメータ情報を前記サブＣＰＵに送信し、前記第２の記憶装置に格納させる。
【０００９】
また、本発明に係る電子機器において、前記サブＣＰＵは、スタンバイ状態において、外部機器からの問い合わせがあると、その問い合わせに係るコマンドに対応した前記返送コマンド及びそのパラメータ情報を前記第２の記憶装置から読み出し、前記送信形式に基づいて送信する。
【００１０】
本発明に係るプロジェクタは、上記の電子機器を内蔵するとともに、メインＣＰＵによりフレーム映像が描画されるフレームメモリと、該フレームメモリに描画されたフレーム映像の映像信号がメインＣＰＵにより読み出されて制御されるライトバルブと、該ライトバルブに描画された映像をスクリーンに拡大照射する光学手段とを備えたものである。本発明においては、プロジェクタがスタンバイ状態においても外部機器との通信が可能になっており、外部機器にとってはプロジェクタの動作態様に関係なく、その状態等を把握することができる。
【００１１】
本発明に係るプロジェクタにおいて、第１の不揮発性記憶装置は、外部通信コマンドとして、電源状態、ランプ点灯時間、ソース設定状態、装置のバージョン情報及びエラーの内、少なくとも１つ以上のコマンドが格納される。本発明においては、上記のプロジェクタのデータが外部機器に送信され、例えばメンテナンス情報として利用することができる。
【発明を実施するための最良の形態】
【００１２】
実施形態１．
図１は本発明の実施形態１に係るプロジェクタの要部を示したブロック図であり、本実施形態１の説明に直接関係ない構成は省略されている。プロジェクタ１０は、メインＣＰＵ２０及びサブＣＰＵ３０を備えている。メインＣＰＵ２０には、例えばＤＶＤプレイヤー４０からの映像信号等を取り込むフロントエンド部２１、ＲＡＭ２２、フラッシュメモリ（ＦＬＡＳＨＲＯＭ）２３、フレームメモリ（ＶＲＡＭ）２４及び液晶パネルドライバー２５がそれぞれ接続されている。また、サブＣＰＵ３０はＲＡＭ３１及びマスクＲＯＭ３２を内蔵し、ＥＥＰＲＯＭ３３と接続されている。このサブＣＰＵ３０はメインＣＰＵ２０と専用の通信線３４を介して接続されており、後述のように各種のデータ等の授受がなされる。これらのメインＣＰＵ２０、サブＣＰＵ３０等には電源部１１からの駆動電源が供給されており、この電源部１１は操作部１２の操作により、その駆動電源のオン・オフが制御される。また、サブＣＰＵ３０には外部機器として例えばパソコン４１と通信形
式ＲＳ−２３２Ｃにより通信可能に接続されており、サブＣＰＵ３０はパソコン４１からの問い合わせに対応したデータ（パラメータ情報）等を送信する。
【００１３】
メインＣＰＵ２０に接続されているフラッシュメモリ２３には、メインＣＰＵ２０の動作を規定するプログラムだけでなく、パソコン４１との間で授受される外部通信コマンド（受信コマンド）、返送コマンド、それに対応したパラメータ情報（データ）等が格納されており、例えばプロジェクタ１０の出荷時にサブＣＰＵ３０に転送し、ＥＥＲＰＯＭ３３に格納させる。
【００１４】
図２はフラッシュメモリ２３及びＥＥＲＰＯＭ３３に格納される受信／返送コマンド定義テーブル及び返送パラメータ定義テーブルを示した図である。受信／返送コマンド定義テーブル及び返送パラメータ定義テーブルは、上述のように、フラッシュメモリ２３に格納されているが、出荷時等に所定の特殊操作によってサブＣＰＵ３０を介してＥＥＲＰＯＭ３３に格納される。受信／返送コマンド定義テーブルは、コマンド文字列Ａ＄及びコマンド比較文字数から構成されており、コマンド比較文字数は、受信時Ｎａｒ及び返送時Ｎａｔから構成されている。返送パラメータ定義テーブルは、パラメータ文字列Ｂ＄及び返送文字数Ｎｂｔから構成されている。なお、この出荷時等にＥＥＲＰＯＭ３３に格納されるパラメータ文字列Ｂ＄及び返送文字数Ｎｂｔは初期値であったり、仮の値である。
【００１５】
図２の受信／返送コマンド定義テーブルにおいて、「ＰＷＲ？」というコマンドは、電源がどのような状況になっているかを問い合わせるコマンドであり、上記にて定義されている「０１」は例えばスタンバイ状態を指す。「ＬＡＭＰ？」というコマンドは、ランプの使用時間を問い合わせるコマンドであり、例えば第一パラメータが該当装置のランプ点灯時間（図２の例では「８２３」時間）、第二パラメータは高輝度でのランプ点灯時間（図２の例では「４５」時間）、第三パラメータは低輝度でのランプ点灯時間（図２の例では「７５０」時間）となっており、プロジェクタの使用時間を把握することができる。このため、ランプ交換時期の予測が可能であり、ランプ切れを起こす前に予防交換措置が出来る。「ＳＯＵＲＣＥ？」というコマンドは、プロジェクタで使用されているソースの内容を問い合わせるコマンドであり、該当装置での利用ソース状況の把握ができ、接続された装置（例えばＤＶＤプレイヤー）の利用時間を把握する事も可能となる。「ＶＥＲ？」
というコマンドは、該当装置のバージョン情報を問い合わせるコマンドであり、例えば装置が盗まれてしまった場合の監視情報として利用する事も可能である。また、他のコマンドでも可能であるが、始めにこのコマンドで装置の有無の判断をする事で通信ソフトの処理が容易になる。「ＥＲＲ？」というコマンドは、プロジェクタ１０との通信が可能であるかどうかを問い合わせるコマンドであり、例えば本来ならば異常状態に陥ったシステムとの通信は行う事が出来ないが、本実施形態１では、メインＣＰＵ２０側が異常状態であってもサブＣＰＵ３０との通信は可能であり、情報取得が可能である。図２の例で示されたパラメータ（＝４３，２１，００，００）は履歴情報を示しており、後のパラメータは過去に起きた異常状態番号を示しており、例えば４回までの履歴情報を知る事ができる。
【００１６】
図１のプロジェクタ１０においては、メインＣＰＵ２０は例えばＤＶＤプレイヤー４０からの映像信号等をフロントエンド部２１を介して取り込んで信号処理を施し（例えばフレームレート変換処理、映像信号の間引き処理、キーストーン補正処理、データ補間処理等）、フレームメモリ２４にフレーム画像を描画し、それを読み出して液晶パネルドライバー２５に出力する。液晶パネルドライバー２５は、メインＣＰＵ２０からの信号に基づいて、ライトバルブを構成する液晶パネル２６の駆動信号を生成し、その出力により液晶パネル２６を駆動する。液晶パネル２６（２６Ｒ、２６Ｇ、２６Ｂ）は、液晶パネルドライバー２５によって駆動されると、画像データに応じて各画素が制御され、ランプ等の光源２７からの光の透過率が制御されて画像を生成する。そして、液晶パネル２６（２６Ｒ、２６Ｇ、２６Ｂ）に生成された画像は投射レンズ２８等の光学手段を介してスクリーン２９に投射されて拡大表示される。
【００１７】
この状態において、メインＣＰＵ２０は、図２の返送パラメータ定義テーブルのパラメータ文字列Ｂ＄の欄に該当するデータを収集する。そして、例えばパソコン４１からの問い合わせがあると、サブＣＰＵ３０はそれを受信してメインＣＰＵ２０に転送する。メインＣＰＵ２３はその問い合わせに関して、フラッシュメモリ２３に格納されている受信／返送コマンド定義テーブル及び返送パラメータ定義テーブル（図２参照）を参照して、問い合わせに対応した送信情報を生成してサブＣＰＵ３０を介してパソコン４１に送信する。ここで、サブＣＰＵ３０が問い合わせ内容を解釈して、メインＣＰＵから必要な返送パラメータ（データ）のみを受け取り、問い合わせに対応した送信情報を生成してパソコン４１に送信するようになっていてもよい。
【００１８】
そして、操作部１２により電源オフ操作がなされると、メインＣＰＵ２０は、図３に示される処理をしてスタンバイ状態に移行する。
【００１９】
図３はメインＣＰＵ２０の処理過程を示したフローチャートである。メインＣＰＵ２０は電源オフ操作がなされると、スタンバイ時に返送すべき情報を例えばＲＡＭ２２又はフラッシュメモリ２３の返送パラメータ定義テーブルから取得し（Ｓ１１）、サブＣＰＵ３０に対して、ＥＥＲＰＯＭ３３に格納されている返送パラメータ定義テーブルのパラメータ文字列Ｂ＄の欄に該当するパラメータ情報（データ）を書き込むように指示を与える（Ｓ１２）。これにより、サブＣＰＵ３０は該当する欄（領域）にパラメータ情報（データ）を書き込む。そして、メインＣＰＵ２０は、サブＣＰＵ３０を介して電源部１１にスタンバイ状態に移行する旨の指令を与え（Ｓ１３）、電源部１１はその指令を受信すると、図１の回路構成では、メインＣＰＵ２０、フロントエンド部２１、光源２７等の駆動電源をオフにし、サブＣＰＵ３０、ＥＥＰＲＯＭ３３及び操作部１２だけに駆動電源が供給された状態になり、スタンバイ状態になる。このスタンバイ状態において、パソコン４１か
らの問い合わせがあると、サブＣＰＵ３０は図４に示されるような処理をして該当するパラメータ情報（データ）を送信する。
【００２０】
図４はスタンバイ時のサブＣＰＵ３０の処理を示したフローチャートである。ＣＰＵ３０は、コマンドを受信したかどうかを判定し（Ｓ２１）、仮にコマンドを受信したとしたならば、受信／返送コマンド定義テーブルのコマンド文字列Ａ＄の欄にあるものと一致するかどうかを判断する（Ｓ２２）。ここで、コマンド文字列Ａ＄の欄には、ＰＷＲ？、ＬＡＭＰ？、ＳＯＵＲＣＥ？、［ＯＤ］（大かっこで囲われた文字は１Ｂｙｔｅ制御コード）、ＶＥＲ？、ＥＲＲ？があるが、受信コマンドがこれらの何れとも一致していない場合には、「ＥＲＲ」の情報を返送する（Ｓ２３）。受信コマンドが上記のコマンドの何れかと一致している場合には、ＲＡＭ３１に形成される送信バッファに一致したＡ＄文字列をＮａｔ分コピーする（Ｓ２４）。例えば受信コマンドが「ＰＷＲ？」であれば、返送文字数Ｎｂｔが「３」であるから、３文字分コピーすることにより、「ＰＷＲ」の文字がコピーされることになる。次に、一致したコマンド文字列に該当するパラメータ文字列Ｂ＄を
送信バッファ内の上記の続きにＮｂｔ分コピーする（Ｓ２５）。返送コマンドが「ＰＷＲ」の例では、３文字分をコピーすることになり、「＝０１」がコピーされる。更に、送信バッファ内の上記の続きに、ターミネートデータ「［０Ｄ］［０Ａ］：」（大かっこで囲われた文字は１Ｂｙｔｅ制御コード）をセットする。その結果、受信コマンドが「ＰＷＲ？」の場合には、「ＰＷＲ＝０１［０Ｄ］［０Ａ］：」（大かっこで囲われた文字は１Ｂｙｔｅ制御コード）というデータが形成されることになる。そして、サブＣＰＵ３０はその送信バッファ内の上記のデータをパソコン４１に対して送信する（Ｓ２６）。その結果、パソコン４１は「ＰＷＲ？」という問い合わせに対して、図２の例では「ＰＷＲ＝０１０Ｄ０Ａ：」というデータが得られる。他の問い合わせに対しても図４のフローチャートに従って同様に処理される。
【００２１】
上記のようなスタンバイ状態において、操作部１２による電源オンの操作があると、サブＣＰＵ３０はそれを検出して電源部１１に制御信号を出力し、電源部１１はメインＣＰＵ２０、フロントエンド部２１を含めて全ての回路に駆動電源を供給し、通常の使用状態に移行する。
【００２２】
以上のように本実施形態１においては、スタンバイ状態に移行する前に、メインＣＰＵ２０はパソコン（外部機器）４１との通信対象となるパラメータ情報をサブＣＰＵ３０に送信し、サブＣＰＵ３０は、スタンバイ状態において、パソコン４１からの問い合わせがあると、その問い合わせに係るコマンドに対応したパラメータ情報を送信するようにしたので、スタンバイ状態においてもパソコン４１との通信が可能になっており、パソコン４１にとってはプロジェクタ１０の動作態様に関係なく、例えばプロジェクタ１０の状態等を把握することができる。このように、サブＣＰＵ３０だけで（メインＣＰＵ２０を必要とせずに）、パソコン（外部機器）４１にデータを送信することができるので、スタンバイ状態での消費電力を少なくすることができる。
【００２３】
また、フラッシュメモリ２３には外部通信コマンド（受信コマンド）に対応した返送コマンド及びそのパラメータ情報の送信形式が格納され、それがサブＣＰＵ３０を介してＥＥＰＲＯＭ３３に格納されるので、プロジェクタ１０の仕様に関係なく、サブＣＰＵ３０（特にマスクＲＯＭ３２）やＥＥＰＲＯＭ３３を一様にすることができる。即ち、スタンバイ時の通信内容は、フラッシュメモリ２３に格納された受信／返送コマンド定義テーブル及び返送パラメータ定義テーブルによって規定することが可能になっており、ＥＥＰＲＯＭ３３の記憶内容をプロジェクタの仕様に応じて予め設定する必要がなくなり、サブＣＰＵ３０及びＥＥＰＲＯＭ３３をプロジェクタの機種に関係なく共通にすることができる。このことはまた、受信／返送コマンド定義テーブル及び返送パラメータ定義テーブルの内容が変更になったり、追加された場合には、フラッシュメモリ２３の内容を変更し又は追加するだけで対応することができることを意味しており、プロジェクタ１０の機種毎に
コマンド等を容易に定義することができる。
【００２４】
また、メインＣＰＵ２０は、スタンバイ状態に移行する前に、パソコン（外部機器）４１との通信対象となるパラメータ情報をサブＣＰＵ３０に送信して、ＥＥＰＲＯＭ３３に格納させるようにしたので、スタンバイ状態に移行する直前のパラメータ情報をパソコン（外部機器）４１に送信することができる。また、サブＣＰＵ３０は、メインＣＰＵ２０から与えられた情報をそのまま送信すれば良いので、その処理は簡単なものとなっている。
【００２５】
また、フラッシュメモリ２３は、外部通信コマンド（受信コマンド）として、電源状態、ランプ点灯時間、ソース設定状態、装置のバージョン情報及びエラーが格納されており、このため、スタンバイ状態においても例えばメンテナンス情報として利用することができる。
【００２６】
実施形態２．
なお、上述の実施形態１においては、返送パラメータ定義テーブル（パラメータ文字列Ｂ＄及び返送文字数Ｎｂｔ）を出荷時にＥＥＰＯＭ３３に転送しておいて、スタンバイ状態に移行する前に、パラメータ文字列Ｂ＄のパラメータ情報をメインＣＰＵ２０から転送する例について説明したが、スタンバイ状態に移行する前に、パラメータ情報とともにその返送文字数Ｎｂｔのデータを併せて転送するようにしてもよい。
【００２７】
実施形態３．
なお、上述の実施形態においては、返送パラメータ定義テーブル（パラメータ文字列Ｂ＄及び返送文字数Ｎｂｔ）を出荷時等にＥＥＰＯＭ３３に転送しておいて、スタンバイ状態に移行する前に、パラメータ文字列Ｂ＄のパラメータ情報等をメインＣＰＵ２０から転送する例について説明したが、受信／返送コマンド定義テーブルや返送パラメータ定義テーブルは予めＥＥＰＯＭ３３に格納されていて、スタンバイ状態に移行する前に、パラメータ情報とその返送文字数Ｎｂｔのデータを転送するようにしてもよい。この場合では、ＥＥＰＲＯＭ３３はプロジェクタの機種によって変更されるが、サブＣＰＵ３０はプロジェクタの機種に関係なく共通にすることができる。
また、パソコン４１とプロジェクタ１０とが１対１の関係にある例について説明したが、図５に示されるように、パソコン４１を複数のプロジェクタ１０に接続して、パソコン４１が複数のプロジェクタ１０の情報を一括して収集するようにしてもよい。また、その際にコマンドの種類についても上記の例に限定されるものではなく、必要に応じて適宜設定されるものである。また、上述の実施形態においては、プロジェクタの例について説明したが、スタンバイ状態において外部機器からの問い合わせに応答する必要がある電子機器であれば同様に適用される。
【図面の簡単な説明】
【００２８】
【図１】本発明の実施形態１に係るプロジェクタの要部を示したブロック図。
【図２】受信／返送コマンド定義テーブル及び返送パラメータ定義テーブルを示した図。
【図３】メインＣＰＵの処理過程を示したフローチャート。
【図４】スタンバイ時のサブＣＰＵ３０の処理を示したフローチャート。
【図５】本発明の実施形態２に係るプロジェクタの要部を示したブロック図。
【符号の説明】
【００２９】
１０ プロジェクタ、１１ 電源部、１２ 操作部、２１ フロントエンド部、２３ フラッシュメモリ、２４ フレームメモリ、３４ 通信線、４０ ＤＶＤプレイヤー、４１ パソコン。
【図１】
2006308934.tif 000003
【図２】
2006308934.tif 000004
【図３】
2006308934.tif 000005
【図４】
2006308934.tif 000006
【図５】
2006308934.tif 000007